(57)【要約】      （修正有）【課題】ドロワを備える画像形成装置において、感光ドラムを有するドラムカートリッジと、現像ローラを有する現像カートリッジとを個別に交換することができる画像形成装置を提供する。【解決手段】画像形成装置は、ドロワ４と、ドラムカートリッジ５と、現像カートリッジ７とを備える。ドラムカートリッジ５は、感光ドラムを有し、ドロワ４に装着可能である。現像カートリッジ７は、現像ローラ１６を有し、ドロワ４に装着可能である。ドロワ４は、第１ガイド２４を有する。ドラムカートリッジ５は、ドラムカートリッジ５がドロワ４に装着された状態で第１ガイド２４と接続される第２ガイドを有する。ドラムカートリッジ５がドロワ４に装着された状態で、現像カートリッジ７がドロワ４に装着されるときに、現像カートリッジ７は、第１ガイド２４と第２ガイドとによって案内される。【選択図】図２
2019219490.tif 000002
【特許請求の範囲】
【請求項１】
本体筐体と、
前記本体筐体内に位置する内側位置と、前記本体筐体外に位置する外側位置との間を移動可能なドロワと、
感光ドラムを有するドラムカートリッジであって、前記ドロワに装着可能なドラムカートリッジと、
前記感光ドラムを露光して潜像を形成する露光器と、
前記感光ドラムに形成された前記潜像をトナーで現像してトナー像を形成する現像ローラを有する現像カートリッジであって、前記ドロワに装着可能な現像カートリッジと、
前記感光ドラムに形成されたトナー像を印刷媒体に転写するための転写ローラと、
前記印刷媒体に転写されたトナー像を前記印刷媒体に定着させる定着器と、
を備え、
前記ドロワは、前記現像カートリッジが前記ドロワに装着されるときに前記現像カートリッジを案内する第１ガイドを、有し、
前記ドラムカートリッジは、前記ドラムカートリッジが前記ドロワに装着された状態で前記第１ガイドと接続される第２ガイドであって、前記ドラムカートリッジが前記ドロワに装着された状態で、前記現像カートリッジが前記ドロワに装着されるときに、前記現像カートリッジを案内する第２ガイドを、有することを特徴とする、画像形成装置。
【請求項２】
前記ドラムカートリッジが前記ドロワに装着され、前記ドロワが前記外側位置に位置する状態で、前記第２ガイドは、前記本体筐体内に位置することを特徴とする、請求項１に記載の画像形成装置。
【請求項３】
前記ドラムカートリッジは、前記感光ドラムを支持するフレームを有し、
前記ドラムカートリッジが前記ドロワに装着され、前記ドロワが前記外側位置に位置する状態で、前記フレームは、前記本体筐体内に位置することを特徴とする、請求項１または請求項２に記載の画像形成装置。
【請求項４】
前記第１ガイドは、前記ドロワが前記外側位置に位置する状態で、前記ドラムカートリッジが前記ドロワに装着されるときに、前記ドラムカートリッジを案内することを特徴とする、請求項１に記載の画像形成装置。
【請求項５】
感光ドラムを有するドラムカートリッジと、前記感光ドラムに形成された潜像をトナーで現像してトナー像を形成する現像ローラを有する現像カートリッジとを用いて印刷媒体に画像を形成する画像形成装置であって、
突起を備えるドロワであって、前記ドラムカートリッジを装着可能であり、かつ、前記現像カートリッジを装着可能であるドロワと、
前記ドロワの前記突起を案内するガイド溝を有する本体筐体と、
前記感光ドラムを露光して前記潜像を形成する露光器と、
前記感光ドラムに形成されたトナー像を前記印刷媒体に転写するための転写ローラと、
前記印刷媒体に転写されたトナー像を前記印刷媒体に定着させる定着器と、
を備え、
前記ドロワは、前記突起が前記ガイド溝に沿って案内されることにより、
前記ドロワが前記本体筐体外に引き出され、前記突起が前記ガイド溝の第１端に接触する外側位置と、
前記ドロワが前記本体筐体内に収容され、前記突起が前記ガイド溝の第２端に接触する内側位置と
の間を移動可能であり、
前記ドロワは、前記現像カートリッジが前記ドロワに装着されるときに前記現像カートリッジを案内する第１ガイドを、有し、
前記ドラムカートリッジは、前記ドラムカートリッジが前記ドロワに装着された状態で前記第１ガイドと接続される第２ガイドであって、前記ドラムカートリッジが前記ドロワに装着された状態で、前記現像カートリッジが前記ドロワに装着されるときに、前記現像カートリッジを案内する第２ガイドを、有することを特徴とする、画像形成装置。
【発明の詳細な説明】
【技術分野】
【０００１】
本開示は、画像形成装置に関する。
【背景技術】
【０００２】
従来、画像形成装置は、本体筐体と、ドロワと、プロセスカートリッジとを備える。ドロワは、本体筐体内に位置する内側位置と、本体筐体外に位置する外側位置との間を移動可能である。プロセスカートリッジは、ドロワに装着可能である。プロセスカートリッジは、感光ドラムと、感光ドラムに形成された潜像をトナーで現像してトナー像を形成する現像ローラとを有し、トナーを収容可能である（下記特許文献１参照）。
【先行技術文献】
【特許文献】
【０００３】
【特許文献１】特開２０１６−１１００９７号公報
【発明の概要】
【発明が解決しようとする課題】
【０００４】
特許文献１に記載されるような画像形成装置では、プロセスカートリッジは、感光ドラムと現像ローラとを備えている。
【０００５】
そのため、例えば、プロセスカートリッジ内のトナー残量が少なくなった場合などに、感光ドラムを交換する必要は無くても、感光ドラムを含めたプロセスカートリッジ全体を交換しなければならず、コストの低減を図ることが困難である。
【０００６】
そこで、本開示の目的は、ドロワを備える画像形成装置において、感光ドラムを有するドラムカートリッジと、現像ローラを有する現像カートリッジとを個別に交換することができる画像形成装置を提供することにある。
【課題を解決するための手段】
【０００７】
（１）本開示の画像形成装置は、本体筐体と、ドロワと、ドラムカートリッジと、露光器と、現像カートリッジと、転写ローラと、定着器とを備える。ドロワは、本体筐体内に位置する内側位置と、本体筐体外に位置する外側位置との間を移動可能である。ドラムカートリッジは、感光ドラムを有する。ドラムカートリッジは、ドロワに装着可能である。露光器は、感光ドラムを露光して潜像を形成する。現像カートリッジは、現像ローラを有する。現像ローラは、感光ドラムに形成された潜像をトナーで現像してトナー像を形成する。現像カートリッジは、ドロワに装着可能である。転写ローラは、感光ドラムに形成されたトナー像を印刷媒体に転写する。定着器は、印刷媒体に転写されたトナー像を印刷媒体に定着させる。
【０００８】
ドロワは、第１ガイドを有する。第１ガイドは、現像カートリッジがドロワに装着されるときに現像カートリッジを案内する。
【０００９】
ドラムカートリッジは、第２ガイドを有する。第２ガイドは、ドラムカートリッジがドロワに装着された状態で第１ガイドと接続される。第２ガイドは、ドラムカートリッジがドロワに装着された状態で、現像カートリッジがドロワに装着されるときに、現像カートリッジを案内する。
【００１０】
このような構成によれば、画像形成装置は、ドロワと、ドラムカートリッジと、現像カートリッジとを備える。ドラムカートリッジは、感光ドラムを有し、ドロワに装着可能である。また、現像カートリッジは、現像ローラを有し、ドロワに装着可能である。
【００１１】
そのため、ドロワを備える画像形成装置において、感光ドラムを有するドラムカートリッジと、現像ローラを有する現像カートリッジとを個別に交換することができる。
【００１２】
これにより、ドラムカートリッジと現像カートリッジとを、それぞれの寿命に応じて、適切な時期に交換することができる。
【００１３】
また、このような構成によれば、ドロワの第１ガイドと、ドラムカートリッジの第２ガイドとが、ドラムカートリッジがドロワに装着された状態で、接続される。
【００１４】
これにより、現像カートリッジがドロワに装着されるときに、ドロワの第１ガイドと、ドラムカートリッジの第２ガイドとによって、現像カートリッジを案内することができる。
【００１５】
その結果、ドラムカートリッジの小型化を図りつつ、ドロワを利用して、ドラムカートリッジまで現像カートリッジを案内できる。
【００１６】
（２）ドラムカートリッジがドロワに装着され、ドロワが外側位置に位置する状態で、第２ガイドは、本体筐体内に位置してもよい。
【００１７】
（３）ドラムカートリッジは、感光ドラムを支持するフレームを有してもよい。ドラムカートリッジがドロワに装着され、ドロワが外側位置に位置する状態で、フレームは、本体筐体内に位置する。
【００１８】
（４）第１ガイドは、ドロワが外側位置に位置する状態で、ドラムカートリッジがドロワに装着されるときに、ドラムカートリッジを案内してもよい。
【００１９】
（５）ドロワは、突起を備えてもよい。本体筐体は、ドロワの突起を案内するガイド溝を有してもよい。ドロワは、突起がガイド溝に沿って案内されることにより、外側位置と内側位置との間を移動可能である。ドロワが外側位置に位置する場合、ドロワは、本体筐体外に引き出され、突起は、ガイド溝の第１端に接触する。ドロワが内側位置に位置する場合、ドロワは、本体筐体内に収容され、突起は、ガイド溝の第２端に接触する。
【発明の効果】
【００２０】
本開示の画像形成装置によれば、ドロワを備える画像形成装置において、感光ドラムを有するドラムカートリッジと、現像ローラを有する現像カートリッジとを個別に交換することができる。
【図面の簡単な説明】
【００２１】
【図１】図１は、画像形成装置の概略構成図である。
【図２】図２は、図１に示すドロワが外側位置に位置し、現像カートリッジがドロワから取り外された状態を示す。
【図３】図３は、図１に示すレーザースキャンユニットの走査範囲を説明するための説明図である。
【図４】図４は、図１に示すドロワの平面図であって、ドラムカートリッジがドロワに装着され、現像カートリッジがドロワから取り外された状態を示す。
【図５】図５は、図１に示すドロワの軸方向中央における断面図である。
【図６】図６は、図１に示すドラムカートリッジの軸方向中央における断面図である。
【図７】図７は、ドロワに対するドラムカートリッジの装着を説明する説明図である。
【図８】図８は、ドロワに対する現像カートリッジの装着を説明する説明図であって、現像カートリッジがドロワの第１ガイドによって案内されている様子を示す。
【図９】図９は、図８とともにドロワに対する現像カートリッジの装着を説明する説明図であって、現像カートリッジがドラムカートリッジの第２ガイドによって案内されている様子を示す。
【発明を実施するための形態】
【００２２】
１．画像形成装置１の概略
図１から図３を参照して、画像形成装置１の概略について説明する。
【００２３】
図１に示すように、画像形成装置１は、本体筐体２と、給紙部３と、ドロワ４と、ドラムカートリッジ５と、露光器６と、現像カートリッジ７と、転写ローラ８と、定着器９とを備える。なお、画像形成装置１は、１つのドラムカートリッジ５と、１つの現像カートリッジ７とを備え、単色印刷専用の画像形成装置である。
【００２４】
１．１  本体筐体
本体筐体２は、給紙部３と、ドロワ４と、ドラムカートリッジ５と、露光器６と、現像カートリッジ７と、転写ローラ８と、定着器９とを収容する。本体筐体２は、開口２Ａと、カバー２Ｂとを有する。
【００２５】
開口２Ａは、ドラムカートリッジ５が本体筐体２に装着された状態で、ドラムカートリッジ５に対して、転写ローラ８の反対側に位置する。
【００２６】
カバー２Ｂは、開口２Ａを閉じる閉位置（図１参照）と、開口２Ａを開ける開位置（図２参照）との間を移動可能である。
【００２７】
１．２  給紙部
給紙部３は、感光ドラム１３に印刷媒体Ｐを供給するように構成される。印刷媒体Ｐは、例えば、印刷用紙である。感光ドラム１３については、後で説明する。給紙部３は、給紙トレイ１０と、ピックアップローラ１１と、給紙ローラ１２とを備える。給紙トレイ１０は、印刷媒体Ｐを収容するように構成される。ピックアップローラ１１は、給紙トレイ１０内の印刷媒体Ｐを給紙ローラ１２に向かって搬送するように構成される。給紙ローラ１２は、ピックアップローラ１１からの印刷媒体Ｐを感光ドラム１３に向かって搬送するように構成される。
【００２８】
１．３  ドロワ
ドロワ４は、内側位置（図１参照）と外側位置（図２参照）との間を移動可能である。ドロワ４が内側位置に位置する場合、ドロワ４は、本体筐体２内に位置する。ドロワ４が外側位置に位置する場合、ドロワ４は、本体筐体２外に位置する。ドロワ４は、内側位置から外側位置へ向かうにつれて、下方へ移動する。ドロワ４は、ドラムカートリッジ５および現像カートリッジ７を支持する。ドロワ４は、ドラムカートリッジ５および現像カートリッジ７を支持した状態で、内側位置と外側位置との間を移動可能である。ドロワ４は、本体筐体２の一部と接触することにより、外側位置に止められる。
【００２９】
詳しくは、図２に示すように、本体筐体２は、ガイド溝２Ｃを有する。ガイド溝２Ｃは、ドロワ４の移動方向に延びる。ガイド溝２Ｃは、ドロワ４の移動方向において、第１端Ｅ１と第２端Ｅ２とを有する。第２端Ｅ２は、ドロワ４の移動方向において、第１端Ｅ１から離れて位置する。また、ドロワ４は、突起４Ａ（図５参照）を有する。突起４Ａは、感光ドラム１３の回転軸Ａ１が延びる方向である軸方向において、ドロワ４の側面に位置する。突起４Ａは、ガイド溝２Ｃに嵌まる。これにより、ドロワ４は、ガイド溝２Ｃに沿って移動可能となる。
【００３０】
つまり、ガイド溝２Ｃは、ドロワ４が外側位置と内側位置との間を移動できるように、突起４Ａをガイドする。
【００３１】
ドロワ４が外側位置から内側位置に向かって移動する場合、ドロワ４が内側位置に到達すると、突起４Ａがガイド溝２Ｃの第２端Ｅ２と接触し、ドロワ４は、内側位置に止まる。ドロワ４が内側位置にあるとき、感光ドラム１３は、転写ローラ８と接触する。
【００３２】
また、ドロワ４が内側位置から外側位置に向かって移動する場合、ドロワ４が外側位置に到達すると、突起４Ａがガイド溝２Ｃの第１端Ｅ１と接触し、ドロワ４は、外側位置に止まる。
【００３３】
ドロワ４は、外側位置に位置する状態で、カバー２Ｂによって支持される。詳しくは、カバー２Ｂは、支持部２Ｄを有する。支持部２Ｄは、カバー２Ｂが開位置に位置し、ドロワ４が外側位置に位置する状態で、ドロワ４の下面に接触する。これにより、支持部２Ｄは、外側位置に位置するドロワ４を支持する。また、支持部２Ｄは、複数のガイドローラ２Ｅを有する。複数のガイドローラ２Ｅは、カバー２Ｂが開位置に位置し、ドロワ４が外側位置に位置する状態で、ドロワ４の下面に接触する。これにより、ドロワ４は、カバー２Ｂによって支持された状態で、円滑に移動できる。
【００３４】
１．４  ドラムカートリッジ
図１に示すように、ドラムカートリッジ５は、ドロワ４に装着可能である。ドラムカートリッジ５は、感光ドラム１３と、帯電ローラ１４と、一次保持ローラ１５とを有する。
【００３５】
感光ドラム１３は、軸方向に延びる回転軸Ａ１について回転可能である。軸方向は、ドロワ４の移動方向と交差する。好ましくは、軸方向は、ドロワ４の移動方向と直交する。感光ドラム１３は、軸方向に延び、円筒形状を有する。感光ドラム１３は、図３および図４に示すように、ドラムカップリング１３１と、ドラムフランジ１３２とを備える。ドラムカップリング１３１は、軸方向における感光ドラム１３の第１端に位置する。ドラムフランジ１３２は、軸方向における感光ドラム１３の第２端に位置する。
【００３６】
なお、図１に示すように、本実施形態では、ドラムカートリッジ５および現像カートリッジ７がドロワ４に装着され、ドロワ４が内側位置に位置した状態で、感光ドラム１３は、上下方向において、給紙ローラ１２と定着器９との間に位置する。
【００３７】
帯電ローラ１４は、感光ドラム１３の周面を帯電させる。帯電ローラ１４は、感光ドラム１３の周面に接触する。なお、ドラムカートリッジ５は、帯電ローラ１４の代わりに、スコロトロン型帯電器などの非接触の帯電器を備えてもよい。
【００３８】
一次保持ローラ１５は、転写残トナーを一時的に保持する。転写残トナーとは、転写ローラ８によって感光ドラム１３から印刷媒体Ｐにトナー像が転写された後、感光ドラム１３の表面に残ったトナーである。一次保持ローラ１５に保持された転写残トナーは、画像形成装置１が印刷を実行していないときに、一次保持ローラ１５から感光ドラム１３に受け渡され、その後、現像ローラ１６によって、現像カートリッジ７内に回収される。
【００３９】
１．５  露光器
露光器６は、感光ドラム１３を露光して潜像を形成する。詳しくは、露光器６は、帯電ローラ１４によって帯電された感光ドラム１３の周面を露光する。これにより、感光ドラム１３の周面に、潜像が、形成される。露光器６は、内側位置に位置するドロワ４の上方に位置する。具体的には、露光器６は、レーザー光Ｌで感光ドラム１３の周面を走査するレーザースキャンユニットである。図３に示すように、露光器６から感光ドラム１３へ向かうレーザー光Ｌは、ドラムカートリッジ５がドロワ４に装着され、ドロワ４が内側位置に位置した状態で、軸方向において、ドラムカートリッジ５のハンドル３３の第１アーム３３Ａと第２アーム３３Ｂとの間を通る。
【００４０】
１．６  現像カートリッジ
図１に示すように現像カートリッジ７は、ドロワ４に装着可能である。現像カートリッジ７は、トナーを収容可能である。現像カートリッジ７は、現像ローラ１６と、ハンドル３００とを有する。
【００４１】
現像ローラ１６は、ドラムカートリッジ５および現像カートリッジ７がドロワ４に装着された状態で、感光ドラム１３に接触する。これにより、現像ローラ１６は、ドラムカートリッジ５および現像カートリッジ７がドロワ４に装着された状態で、現像カートリッジ７内のトナーを感光ドラム１３に供給可能となる。現像ローラ１６は、現像カートリッジ７内のトナーを感光ドラム１３に供給することにより、感光ドラム１３に形成された潜像をトナーで現像して、感光ドラム１３の周面にトナー像を形成する。現像ローラ１６は、シャフト１６Ａと、ローラ本体１６Ｂとを有する。
【００４２】
シャフト１６Ａは、軸方向に延びる。シャフト１６Ａは、円柱形状を有する。シャフト１６Ａは、ローラ本体１６Ｂを軸方向に貫通する。シャフト１６Ａは、金属から作られる。
【００４３】
ローラ本体１６Ｂは、軸方向に延びる。ローラ本体１６Ｂは、円柱形状を有する。ローラ本体１６Ｂは、導電性を有するゴムから作られる。
【００４４】
ハンドル３００は、現像カートリッジ７をドロワ４に対して着脱する場合に、ユーザーが掴む部分である。ハンドル３００は、現像カートリッジ７の上面に取り付けられる。ハンドル３００は、好ましくは、トナーが充填された新品の現像カートリッジ７の重心に近い部分に取り付けられる。これにより、図２に示すように、ユーザーがハンドル３００を持って現像カートリッジ７を持ち上げたときに、現像カートリッジ７の姿勢がほぼ水平になる。そのため、現像カートリッジ７をドロワ４に対して装着しやすい。
【００４５】
１．７  転写ローラ
図１に示すように、転写ローラ８は、ドラムカートリッジ５がドロワ４に装着され、ドロワ４が内側位置に位置した状態で、感光ドラム１３と接触する。給紙トレイ１０からの印刷媒体Ｐは、転写ローラ８と感光ドラム１３との間を通る。このとき、転写ローラ８は、感光ドラム１３に形成されたトナー像を、印刷媒体Ｐに転写する。
【００４６】
１．８  定着器
定着器９は、トナー像が転写された印刷媒体Ｐを加熱および加圧して、印刷媒体Ｐに転写されたトナー像を、印刷媒体Ｐに定着させる。定着器９を通過した印刷媒体Ｐは、本体筐体２の上面に排紙される。定着器９は、ドラムカートリッジ５がドロワ４に装着され、ドロワ４が内側位置に位置する状態で、感光ドラム１３の上方に間隔を隔てて位置する。すなわち、画像形成装置１は、鉛直方向において定着器９が感光ドラム１３よりも上方に位置するように、水平な台などの上に設置される。
【００４７】
２．ドロワの詳細
次に、図４から図８を参照して、ドロワ４の詳細について説明する。
【００４８】
図４に示すように、ドロワ４は、ドロワ第１側板２１と、ドロワ第２側板２２と、底板２３とを備える。
【００４９】
ドロワ第１側板２１は、軸方向におけるドロワ４の第１端に位置する。ドロワ第１側板２１は、ドロワ４の移動方向に延びる。図５に示すように、ドロワ第１側板２１は、ドロワ４の移動方向において、第１端Ｅ１１と第２端Ｅ１２とを有する。第２端Ｅ１２は、ドロワ４の移動方向において、第１端Ｅ１１から離れて位置する。第２端Ｅ１２は、ドロワ４が内側位置から外側位置へ向かって移動する方向において、第１端Ｅ１１よりも下流側に位置する。また、ドロワ第１側板２１は、第１ガイド２４と、ハンドル支持部２５と、貫通穴２６と、切欠き２７Ａと、凹部２８とを有する。すなわち、ドロワ４は、第１ガイド２４を有する。
【００５０】
第１ガイド２４は、軸方向におけるドロワ第１側板２１の内面に位置する。第１ガイド２４は、軸方向において、ドロワ第２側板２２から離れる方向に凹む。第１ガイド２４は、ドロワ４の移動方向において、第１端Ｅ１１と第２端Ｅ１２との間に位置する。第１ガイド２４は、ドロワ４の移動方向と交差する方向に延びる。第１ガイド２４は、第１端Ｅ２１と第２端Ｅ２２とを有する。第１端Ｅ２１は、ドロワ４の移動方向において、第２端Ｅ２２よりも第１端Ｅ１１の近くに位置する。第２端Ｅ２２は、ドロワ４の移動方向において、第１端Ｅ２１よりも第２端Ｅ１２の近くに位置する。第１ガイド２４は、第２端Ｅ２２から第１端Ｅ２１へ向かうにつれて、下方へ傾斜する。
【００５１】
図７に示すように、ドロワ４が外側位置に位置する状態で、第１ガイド２４の第１端Ｅ２１は、本体筐体２の開口２Ａよりも内側に位置し、第１ガイド２４の第２端Ｅ２２は、本体筐体２の開口２Ａよりも外側に位置する。ドロワ４が外側位置に位置する状態で、ドラムカートリッジ５がドロワ４に装着されるときに、第１ガイド２４は、ドラムカートリッジ５のフレーム３１の端部に接触して、ドラムカートリッジ５のフレーム３１の端部を案内する。これにより、第１ガイド２４は、ドロワ４が外側位置に位置する状態で、ドラムカートリッジ５がドロワ４に装着されるときに、ドラムカートリッジ５を案内する。
【００５２】
また、図８に示すように、ドロワ４が外側位置に位置し、ドラムカートリッジ５がドロワ４に装着された状態で、現像カートリッジ７がドロワ４に装着されるときに、第１ガイド２４には、現像ローラ１６のシャフト１６Ａが嵌まる。これにより、第１ガイド２４は、現像カートリッジ７がドロワ４に装着されるときに、現像カートリッジ７を案内する。
【００５３】
ハンドル支持部２５は、図５に示すように、第１ガイド２４と平行に延びる。ハンドル支持部２５は、第１ガイド２４の上方に間隔を隔てて位置する。ハンドル支持部２５は、軸方向におけるドロワ第１側板２１の内面に位置する。ハンドル支持部２５は、軸方向において、ドロワ第２側板２２から離れる方向に凹む。ハンドル支持部２５は、図８に示すように、ドラムカートリッジ５がドロワ４に装着された状態で、ハンドル３３とドロワ４の底板２３との間に現像カートリッジ７を装着可能な空間が残る位置に、ハンドル３３を支持する。
【００５４】
貫通穴２６は、図５に示すように、上下方向において、第１ガイド２４とハンドル支持部２５との間に位置する。貫通穴２６は、円形状を有する。現像カートリッジ７がドロワ４に装着された状態で、現像カートリッジ７の現像カップリング７１（図２参照）は、ドロワ第１側板２１の内側にあり、貫通穴２６を介して露出する。ドラムカートリッジ５および現像カートリッジ７がドロワ４に装着され、ドロワ４が内側位置に位置する状態で、本体カップリング１０１（図２参照）は、現像カップリング７１に連結される。このとき、貫通穴２６には、本体カップリング１０１が、挿通される。
【００５５】
切欠き２７Ａは、ドロワ第１側板２１の第１端Ｅ１１に位置する。切欠き２７Ａは、半円形状を有する。ドラムカートリッジ５がドロワ４に装着された状態で、ドラムカートリッジ５のドラムカップリング１３１は、切欠き２７Ａに嵌まる。これにより、ドラムカートリッジ５がドロワ４に装着された状態で、ドラムカートリッジ５のドラムカップリング１３１（図４、図６参照）は、切欠き２７Ａを介して露出する。ドラムカートリッジ５および現像カートリッジ７がドロワ４に装着され、ドロワ４が内側位置に位置する状態で、本体カップリング１０２（図２参照）は、ドラムカップリング１３１に連結される。
【００５６】
凹部２８は、移動方向において、第１ガイド２４と、ドロワ第１側板２１の第１端Ｅ１１との間に位置する。凹部２８は、軸方向におけるドロワ第１側板２１の内面に位置する。凹部２８は、軸方向において、ドロワ第２側板２２から離れる方向に凹む。凹部２８には、ドラムカートリッジ５がドロワ４に装着された状態で、フレーム３１のドラム第１側板３４が嵌まる。
【００５７】
ドロワ第２側板２２は、図４に示すように、軸方向におけるドロワ４の第２端に位置する。ドロワ第２側板２２は、軸方向において、ドロワ第１側板２１から離れて位置する。ドロワ第２側板２２は、貫通穴２６を有さない以外、ドロワ第１側板２１と同じ形状を有する。すなわち、ドロワ第２側板２２は、ドロワ第１側板２１の切欠き２７Ａと同じ形状の切欠き２７Ｂを有する。ドラムカートリッジ５がドロワ４に装着された状態で、ドラムカートリッジ５のドラムフランジ１３２は、切欠き２７Ｂに嵌まる。
【００５８】
底板２３は、軸方向において、ドロワ第１側板２１とドロワ第２側板２２との間に位置する。底板２３は、軸方向に延びる。軸方向における底板２３の第１端は、ドロワ第１側板２１に接続する。軸方向における底板２３の第２端は、ドロワ第２側板２２に接続する。
【００５９】
３．ドラムカートリッジの詳細
次に、図４および図６から図８を参照して、ドラムカートリッジ５の詳細について説明する。
【００６０】
図６に示すように、ドラムカートリッジ５は、上記した感光ドラム１３、帯電ローラ１４および一次保持ローラ１５に加えて、フレーム３１と、押圧部材３２と、ハンドル３３とを備える。
【００６１】
３．１  フレーム
フレーム３１は、感光ドラム１３、帯電ローラ１４および一次保持ローラ１５を支持する。フレーム３１は、図４に示すように、軸方向に延びる。フレーム３１は、ドラム第１側板３４と、ドラム第２側板３５とを備える。
【００６２】
ドラム第１側板３４は、軸方向におけるフレーム３１の第１端に位置する。ドラム第１側板３４は、軸方向と交差する方向に延びる。好ましくは、ドラム第１側板３４は、軸方向と直交する方向に延びる。ドラム第１側板３４は、図６に示すように、第２ガイド３６を有する。すなわち、ドラムカートリッジ５は、第２ガイド３６を有する。
【００６３】
第２ガイド３６は、図８に示すように、ドラムカートリッジ５がドロワ４に装着された状態で、感光ドラム１３の回転軸Ａ１よりも下方に位置する。図９に示すように、ドラムカートリッジ５および現像カートリッジ７がドロワ４に装着された状態で、第２ガイド３６には、現像ローラ１６のシャフト１６Ａが嵌まる。第２ガイド３６は、図６に示すように、第１部分３６Ａと、第２部分３６Ｂとを有する。
【００６４】
第１部分３６Ａは、図８に示すように、ドラムカートリッジ５がドロワ４に装着された状態で、第１ガイド２４と接続される。すなわち、第２ガイド３６は、ドラムカートリッジ５がドロワ４に装着された状態で、第１ガイド２４と接続される。これにより、第２ガイド３６は、図８および図９に示すように、ドラムカートリッジ５がドロワ４に装着された状態で、現像カートリッジ７がドロワ４に装着されるときに、現像カートリッジ７を案内することができる。第１部分３６Ａは、第１ガイド２４が延びる方向と交差する方向に延びる。具体的には、第１部分３６Ａは、ドラムカートリッジ５がドロワ４に装着された状態で、ドロワ４の移動方向に延びる。なお、第１部分３６Ａは、第１ガイド２４が延びる方向と交差する方向に延びていなくてもよい。第１部分３６Ａは、ドラムカートリッジ５がドロワ４に装着された状態で、第１ガイド２４と段差なく滑らかに繋がっていればよい。第１部分３６Ａが第１ガイド２４と段差なく滑らかに繋がっていれば、現像カートリッジ７をドロワ４に装着するときに現像カートリッジ７が第１ガイド２４と第１部分３６Ａとの継ぎ目で引っかかることを抑制でき、現像カートリッジ７を、ドロワ４に、円滑に装着できる。
【００６５】
第２部分３６Ｂは、第１部分３６Ａと感光ドラム１３との間に位置する。第２部分３６Ｂは、第１ガイド２４が延びる方向、および、第１部分３６Ａが延びる方向の両方と交差する方向に延びる。具体的には、第２部分３６Ｂは、ドラムカートリッジ５および現像カートリッジ７がドロワ４に装着された状態で、感光ドラム１３の回転軸Ａ１と現像ローラ１６の回転軸Ａ２（図１参照）とを結ぶ方向に延びる。第２部分３６Ｂは、第１部分３６Ａと接続する。
【００６６】
ドラム第２側板３５は、図４に示すように、軸方向におけるフレーム３１の他端部に位置する。ドラム第２側板３５は、軸方向において、ドラム第１側板３４から離れて位置する。ドラム第２側板３５は、ドラム第１側板３４と同じ形状を有する。
【００６７】
３．２  押圧部材
押圧部材３２は、図６に示すように、ドラム第１側板３４の内部に設けられている。
【００６８】
押圧部材３２は、第２ガイド３６内に進出する進出位置（図６参照）と、第２ガイド３６から退避する退避位置（図示せず）との間を、軸Ａ１１について回動可能である。押圧部材３２は、トーションバネ３２０により、退避位置から進出位置へ向かう方向に、押圧されている。詳しくは、押圧部材３２は、第１面３２Ａと、第２面３２Ｂと、シャフト３２Ｃを有する。
【００６９】
第１面３２Ａは、押圧部材３２が進出位置に位置した状態で、感光ドラム１３の回転軸Ａ１（図１参照）と現像ローラ１６の回転軸Ａ２（図１参照）とを結ぶ方向と交差する方向に延びる。好ましくは、第１面３２Ａは、押圧部材３２が進出位置に位置した状態で、感光ドラム１３の回転軸Ａ１（図１参照）と現像ローラ１６の回転軸Ａ２（図１参照）とを結ぶ方向と直交する方向に延びる。ドラムカートリッジ５および現像カートリッジ７がドロワ４に装着され、押圧部材３２が進出位置に位置した状態で、第１面３２Ａは、現像ローラ１６のシャフト１６Ａと接触する。ドラムカートリッジ５および現像カートリッジ７がドロワ４に装着され、押圧部材３２が進出位置に位置した状態で、押圧部材３２は、現像ローラ１６のシャフト１６Ａを感光ドラム１３に向かって押圧する。
【００７０】
第２面３２Ｂは、第２ガイド３６の第１部分３６Ａが延びる方向において、第１面３２Ａよりも第２部分３６Ｂから離れて位置する。第２面３２Ｂは、第１部分３６Ａが延びる方向に対して傾斜する。
【００７１】
シャフト３２Ｃは、軸Ａ１１に沿って延びる。シャフト３２Ｃは、円柱形状を有する。押圧部材３２は、シャフト３２Ｃについて回転可能である。
【００７２】
なお、押圧部材３２は、ドラム第２側板３５にも設けられ、ドラム第１側板３４の押圧部材３２と同様に、現像ローラ１６のシャフト１６Ａを感光ドラム１３に向かって押圧する。
【００７３】
３．３  ハンドル
ハンドル３３は、ドラムカートリッジ５がドロワ４に対して着脱される場合に、ユーザーによって掴まれる。ハンドル３３は、フレーム３１に取り付けられる。詳しくは、ハンドル３３は、図４に示すように、第１アーム３３Ａと、第２アーム３３Ｂと、バー３３Ｃとを有する。
【００７４】
第１アーム３３Ａは、軸方向におけるハンドル３３の第１端に位置する。第１アーム３３Ａは、フレーム３１のドラム第１側板３４に回転可能に取り付けられる。第１アーム３３Ａは、軸方向と交差する方向に延びる。好ましくは、第１アーム３３Ａは、軸方向と直交する方向に延びる。
【００７５】
第２アーム３３Ｂは、軸方向におけるハンドル３３の第２端に位置する。第２アーム３３Ｂは、軸方向において、第１アーム３３Ａから離れて位置する。第２アーム３３Ｂは、フレーム３１のドラム第２側板３５に回転可能に取り付けられる。第１アーム３３Ａがドラム第１側板３４に回転可能に取り付けられ、第２アーム３３Ｂがドラム第２側板３５に回転可能に取り付けられることにより、ハンドル３３は、フレーム３１に回転可能に取り付けられる。第２アーム３３Ｂは、軸方向と交差する方向に延びる。好ましくは、第２アーム３３Ｂは、軸方向と直交する方向に延びる。
【００７６】
バー３３Ｃは、軸方向において、第１アーム３３Ａと第２アーム３３Ｂとの間に位置する。バー３３Ｃは、軸方向に延びる。バー３３Ｃは、円柱形状を有する。軸方向におけるバー３３Ｃの第１端は、第１アーム３３Ａに接続する。軸方向におけるバー３３Ｃの第２端は、第２アーム３３Ｂに接続する。
【００７７】
４．ドラムカートリッジおよび現像カートリッジのドロワに対する装着
次に、図７から図９を参照して、ドラムカートリッジ５および現像カートリッジ７のドロワ４に対する装着について説明する。
【００７８】
図７に示すように、ドロワ４が外側位置に位置した状態で、第１ガイド２４は、本体筐体２の外側に位置する。
【００７９】
そして、ドラムカートリッジ５がドロワ４に装着される場合、図７および図８に示すように、ドロワ４が外側位置に位置した状態で、フレーム３１が第１ガイド２４に嵌まることにより、ドラムカートリッジ５は、第１ガイド２４が延びる方向において、本体筐体２の外側から本体筐体２の内側へ向かって案内される。
【００８０】
そして、図８に示すように、フレーム３１のドラム第１側板３４がドロワ４の凹部２８に嵌まると、ドロワ４に対するドラムカートリッジ５の装着が完了する。
【００８１】
ドラムカートリッジ５がドロワ４に装着された状態で、ドラムカートリッジ５の少なくとも一部は、本体筐体２の内側に位置する。詳しくは、ドラムカートリッジ５がドロワ４に装着され、ドロワ４が外側位置に位置する状態で、第２ガイド３６は、本体筐体２内に位置する。また、ドラムカートリッジ５がドロワ４に装着され、ドロワ４が外側位置に位置する状態で、フレーム３１は、本体筐体２内に位置する。なお、ドラムカートリッジ５がドロワ４に装着され、ドロワ４が外側位置に位置する状態で、ハンドル３３は、本体筐体２外に位置する。
【００８２】
また、ドラムカートリッジ５がドロワ４に装着された状態で、ドラムカートリッジ５の第２ガイド３６は、ドロワ４の第１ガイド２４と連続する。
【００８３】
次に、現像カートリッジ７がドロワ４に装着される場合、図８および図９に示すように、ドラムカートリッジ５がドロワ４に装着され、ドロワ４が外側位置に位置した状態で、現像ローラ１６のシャフト１６Ａは、第１ガイド２４によって第２ガイド３６に向かって案内され、第２ガイド３６の第１部分３６Ａに嵌まる。
【００８４】
すると、シャフト１６Ａは、第２ガイド３６の第１部分３６Ａによってガイドされて、押圧部材３２の第２面３２Ｂ（図６参照）に接触する。そして、シャフト１６Ａが第２面３２Ｂに接触した状態で、シャフト１６Ａがさらに第２部分３６Ｂに近づく方向へ進むと、シャフト１６Ａは、第２面３２Ｂを押圧することにより、トーションバネ３２０の押圧力に抗して、押圧部材３２を、進出位置から退避位置に向かって押し下げる。そして、図９に示すように、押圧部材３２が退避位置に位置すると、シャフト１６Ａは、押圧部材３２の上を通って、第２部分３６Ｂに嵌まる。
【００８５】
そして、シャフト１６Ａが第２部分３６Ｂに嵌まると、押圧部材３２は、トーションバネ３２０の押圧力により、退避位置から進出位置に戻り、シャフト１６Ａを感光ドラム１３に向かって押圧する。すると、図１に示すように、現像ローラ１６が感光ドラム１３に接触し、ドロワ４に対する現像カートリッジ７の装着が完了する。
【００８６】
５．作用効果
画像形成装置１によれば、図７に示すように、ドラムカートリッジ５は、感光ドラム１３を有し、ドロワ４に装着可能である。また、図８に示すように、現像カートリッジ７は、現像ローラ１６を有し、ドロワ４に装着可能である。
【００８７】
そのため、ドロワ４を備える画像形成装置１において、感光ドラム１３を有するドラムカートリッジ５と、現像ローラ１６を有する現像カートリッジ７とを個別に交換することができる。
【００８８】
これにより、ドラムカートリッジ５と現像カートリッジ７とを、それぞれの寿命に応じて、適切な時期に交換することができる。
【００８９】
また、画像形成装置１によれば、図８に示すように、ドロワ４の第１ガイド２４と、ドラムカートリッジ５の第２ガイド３６とが、ドラムカートリッジ５がドロワ４に装着された状態で、接続される。
【００９０】
これにより、現像カートリッジ７がドロワ４に装着されるときに、ドロワ４の第１ガイド２４と、ドラムカートリッジ５の第２ガイド３６とによって、現像カートリッジ７を案内することができる。
【００９１】
その結果、ドラムカートリッジ５の小型化を図りつつ、ドロワ４を利用して、ドラムカートリッジ５まで現像カートリッジ７を案内できる。
【００９２】
また、画像形成装置１によれば、図８に示すように、ドラムカートリッジ５がドロワ４に装着され、ドロワ４が外側位置に位置する状態で、ドラムカートリッジ５の一部が、本体筐体２内に位置する。具体的には、ドラムカートリッジ５がドロワ４に装着され、ドロワ４が外側位置に位置する状態で、第２ガイド３６が本体筐体２内に位置する。また、ドラムカートリッジ５がドロワ４に装着され、ドロワ４が外側位置に位置する状態で、フレーム３１が本体筐体２内に位置する。
【００９３】
そのため、ドラムカートリッジ５の一部が本体筐体２内に位置する程度、ドロワ４を引き出した状態で、現像カートリッジ７をドロワ４に装着することができ、ドロワ４を引き出す距離を短くすることができる。そのため、現像カートリッジ７を交換するために必要なスペースを小さくできる。
【００９４】
また、画像形成装置１によれば、図７に示すように、第１ガイドは２４、ドロワ４が外側位置に位置する状態で、ドラムカートリッジ５がドロワ４に装着されるときに、ドラムカートリッジ５を案内する。
【００９５】
そのため、第１ガイド２４により、ドロワ４に対する現像カートリッジ７の装着と、ドロワ４に対するドラムカートリッジ５の装着との両方を案内することができ、画像形成装置１の構造が複雑になることを抑制できる。
【符号の説明】
【００９６】
１        画像形成装置
２        本体筐体
４        ドロワ
５        ドラムカートリッジ
６        露光器
７        現像カートリッジ
８        転写ローラ
９        定着器
１３      感光ドラム
１６      現像ローラ
２４      第１ガイド
３１      フレーム
３６      第２ガイド
Ｐ        印刷媒体
【図１】
2019219490.tif 000003
【図２】
2019219490.tif 000004
【図３】
2019219490.tif 000005
【図４】
2019219490.tif 000006
【図５】
2019219490.tif 000007
【図６】
2019219490.tif 000008
【図７】
2019219490.tif 000009
【図８】
2019219490.tif 000010
【図９】
2019219490.tif 000011